(57)【特許請求の範囲】
【請求項１】
グリップ体の先端部にキーブレードの中心線上の一端を回転自在に軸支してなり、
使用状態においてグリップ体から飛び出したキーブレードをグリップ体の側縁に沿ってグリップ体内部に収納可能で、
前記キーブレードの回転中心近傍には、キーブレードの収納操作時にグリップ体から飛び出して収納操作時の押し込み代を提供する突起が設けられる飛び出しキーであって、
前記キーブレードの飛び出し姿勢における中心線とグリップ体の先端部における中心線との間には、キーブレードの収納姿勢から飛び出し姿勢への移動によりグリップ体の先端部における中心線を跨いで突起を移動させ、収納姿勢においてグリップ体の側縁から飛び出す突起を飛び出し姿勢においてグリップ体内部に収納させるオフセット量が設定される飛び出しキー。
【請求項２】
前記突起はキーブレードの飛び出し姿勢においてグリップ体に衝接して反対方向への過大回転を防止する請求項１記載の飛び出しキー。
【請求項３】
前記キーブレードの飛び出し姿勢における中心線とグリップ体の先端部における中心線との間に代えて、キーブレードの飛び出し姿勢における中心線とキーブレードの回転中心との間にオフセット量を設定し、かつ、キーブレードの飛び出し姿勢における中心線をグリップ体の先端部の中心線に接近、あるいは一致させて形成される請求項１または２記載の飛び出しキー。
【発明の詳細な説明】
【０００１】
【発明の属する技術分野】
本発明は飛び出しキーに関するものである。
【０００２】
【従来の技術】
キーブレードをグリップ体から使用時にのみ突出させ、不使用時には、グリップ体内に収納可能なキーホルダとしては、例えば、実公平２-２１９９１号公報記載のものが知られている。この従来例において、キーブレードは矩形形状に形成されるグリップ体に対して回転自在に枢支されており、不使用時には、グリップ体の側縁に形成された収納スペースに収納することができ、使用時には、操作ローラを操作して、グリップ体から飛び出させることができる。
【０００３】
しかし、上述した従来例において、キーブレードのグリップ体への収納操作は、キーブレードの側縁をグリップ体内部に押し込んで行われるが、やや飛び出した姿勢から完全にグリップ体内の収容姿勢まで納めるためには、爪等でキーブレードを押し込む必要があり、操作性が悪いという問題がある。とりわけ、キーブレード先端に深いキーコード溝が切られている場合には、押し込み代が実質的に確保されないために、押し込むことができないという問題がある。
【０００４】
また、上記従来例は、キーブレードを９０°回転させて収納姿勢と飛び出し姿勢との間を変更させるものであるから、キーブレードの飛び出し姿勢において、キーブレード基端にグリップ体の長辺部が位置し、キーブレード基端における直交方向の長さが長くなる。この結果、キーシリンダ装置の表面部にグリップ体の回動スペースを広く必要とし、使い勝手が悪いという問題がある。
【０００５】
この問題を解決するためには、例えば、実開平６-６５５８０号公報に記載されたように、キーブレードを１８０°回転させ、飛び出し姿勢におけるキーブレードの中心線上にキーブレードの収容位置を設定してグリップ体の先端部の巾寸法を必要最小限にすることが可能である。しかしこの場合、グリップ体内のほぼ全領域がキーブレードの収納スペースとして利用されるために、例えば、グリップ体内に電波発信装置等を収容する場合には、収容スペースが過小になるという問題がある。また、キーブレードの収納スペースはキーブレードの側縁を押し込んで収納するためには、グリップ体の辺縁に設定する必要があるが、１８０°回転させてキーブレードを収納する上記従来例においては、グリップ体の一辺部が予め決定されてしまうために、デザインの自由度がほとんどなくなってしまうという問題がある。
【０００６】
【発明が解決しようとする課題】
本発明は、以上の欠点を解消すべくなされたものであって、使い勝手を向上させた飛び出しキーの提供を目的とする。
【０００７】
【課題を解決するための手段】
本発明によれば上記目的は、
グリップ体１の先端部にキーブレード２の中心線ｃ２上の一端を回転自在に軸支してなり、
使用状態においてグリップ１体から飛び出したキーブレード２をグリップ体２の側縁に沿ってグリップ体１内部に収納可能で、
前記キーブレード２の回転中心近傍には、キーブレード２の収納操作時にグリップ体１から飛び出して収納操作時の押し込み代を提供する突起３が設けられる飛び出しキーであって、
前記キーブレード２の飛び出し姿勢における中心線ｃ２とグリップ体１の先端部における中心線ｃ１との間には、キーブレード２の収納姿勢から飛び出し姿勢への移動によりグリップ体１の先端部における中心線ｃ１を跨いで突起３を移動させ、収納姿勢においてグリップ体１の側縁から飛び出す突起３を飛び出し姿勢においてグリップ体１内部に収納させるオフセット量δが設定される飛び出しキーを提供することにより達成される。
【０００８】
図１に示すように、キーブレード２は中心線ｃ２上の一端がグリップ体１の先端部１ａに軸支され、図１（ａ）に示す、グリップ体１の一側縁に沿う収納姿勢と、図１（ｃ）に示す、グリップ体１からの飛び出し姿勢との間で回転できる。飛び出し姿勢からキーブレード２を収容する際に、キーブレード２の側縁がグリップ体１側縁からやや飛び出した状態において、キーブレード２の突起３はグリップ体１外に突出しており、該突起３をグリップ体１内に押し込むだけでキーブレード２を収納姿勢に収めることができる。この結果、キーブレード２に深いキーコードの切り込みがあったり、あるいはキーブレード２の枢軸位置に誤差があっても、キーブレード２を容易に収納位置に押し込むことができる。
【０００９】
また、キーブレード２は中心線ｃ２上でグリップ体１に軸支されているために、回転中心をキーブレード２の中心線ｃ２に対してオフセットさせる場合に比してグリップ体１の先端部１ａの巾寸法ｄ２をキーブレード２を回転自在に保持するに必要な最小限の寸法に狭くすることができる。この結果、キーシリンダ装置の表面近傍にグリップ体１の回転を許容するための広いスペースが不要となり、使い勝手が向上する。
【００１０】
また、キーブレード２を使用している状態において、突起３は図１（ｃ）に示すように、グリップ体１に収容されて外部に露出しないために、キーシリンダ装置の操作中に邪魔にならず、かつ見栄えもよい。
【００１１】
さらに、突起３は、キーブレード２の飛び出し姿勢においてグリップ体１に衝接して反対方向への過大回転を防止するためのストッパとしても利用することができる。
【００１４】
【発明の実施の形態】
図１に示すように、飛び出しキーはキーブレード２と、キーブレード２を操作する際の操作頭部を提供するグリップ体１とを有する。図１（ａ）は飛び出しキーの平面図、図１（ｂ）は側面図、図１（ｃ）は裏面図であり、キーブレード２は、使用に際して、図１（ｃ）に示すように、グリップ体１から飛び出させることができ、不使用時には、図１（ａ）に示すように、グリップ体１の内部に収納できる。
【００１５】
キーブレード２は一端に形成された連結用頭部５においてグリップ体１に軸支され、上記収納姿勢と飛び出し姿勢との間を回転できる。連結用頭部５は回転中心を中心とする円形形状に形成され、グリップ体１との十分な連結強度が確保できる範囲内で可及的に小さく設定される。また、キーブレード２の回転中心は、キーブレード２の中心線ｃ２上に配置され、連結用頭部５には、回転中心から放射方向に突起３が突設される。
【００１６】
グリップ体１の内部には、後述する電波発信装置等が収納され、グリップ体１の表面には、電池交換蓋６が、裏面には電波発信装置を制御するためのスイッチプレート７が配置される。また、グリップ体１の先端部１ａは、図示しないキーシリンダ装置にキーブレード２を挿入した際に、グリップ体１がキーシリンダ装置の表面周縁の部品に衝接することなくグリップ体１を回転させることができるように、先端方で交差する一対の斜辺４、４’を側縁として先細り形状に形成され、一方の斜辺部４に沿って後述するキーブレード２の収納スペース８が設けられる。
【００１７】
キーブレード２の飛び出し姿勢における中心線ｃ１と、該中心線ｃ２方向のグリップ体１の先端部１ａの中心線ｃ１、正確には、上記突起３の回転領域における中心線ｃ１との間には適宜のオフセット量δが設定され、キーブレード２が収納姿勢にある際には突起３がグリップ体１側縁から露出し、飛び出し姿勢においてグリップ体１の内部に収容される。図１（ａ）に示すように、収納姿勢においてキーブレード２は、飛び出し姿勢におけるキーブレード２の中心線ｃ１に対して鋭角に交差する姿勢をとって、一方（収納側辺縁）の斜辺部４に沿って収納される。
【００１８】
上記グリップ体１は、図２ないし５に示すように、ベース１１の上部開放部を仕切プレート９、およびカバー１０により閉塞して形成される。ベース１１には、図示しない電波発信装置、およびその周辺回路を実装した実装基板１２が固定され、実装基板１２上のスイッチ１２ａを操作するためのスイッチプレート７がベース１１の表面に配置される。スイッチプレート７はゴム等の柔軟材で形成され、この実施の形態において、一方がドアロックの施解錠信号発信制御用、他方がトランクロックの施解錠信号発信制御用に使用される。
【００１９】
上記ベース１１には仕切プレート９とカバー１０が積層され、仕切プレート９とカバー１０によりキーブレード２の収納スペース８が形成される。仕切プレート９はベース１１とカバー１０との間に介装され、中央領域へのキーブレード２の進入を規制する隔壁９ａを備える。また、隔壁９ａは、先端部１ａにまで延設され、端部にストッパ壁９ｂが設けられ、さらに、隔壁９ａから内方に延設される中央仕切面９ｃには実装基板１２上に保持される電池１３の収容孔９ｄが開設される。
【００２０】
なお、この実施の形態において、仕切プレート９は、実装基板１２上に保持される電池１３の位置決めを兼ねるために、ベース１１の上方開放面全面を覆う形状に形成されているが、中央仕切面９ｃを取り除き、キーブレード２の収納スペース８を除く全領域を他部品の収容スペースとして利用することもできる。
【００２１】
上記キーブレード２を軸支するために、ベース１１の先端部１ａには、中心にインサートナット１４ａが埋め込まれた支柱１４が立設され、グリップ体１の外殻を構成するカバー１０はインサートナット１４ａにねじ込まれるネジ１５により固定される。カバー１０の固定は、ネジ１５を利用する以外に、カバー１０とベース１１に相互に弾性的に係合可能な爪と係合部を設けておく等、適宜手段によることができる。
【００２２】
支柱１４には頂部にブレード連結ボス１６ａが突設されたロータ１６が回転自在に外嵌され、図５に示すように、キーブレード２の連結用頭部５に設けられた連結孔５ａをブレード連結ボス１６ａに嵌合させることにより、キーブレード２とロータ１６が回転方向に結合される。また、ロータ１６の周縁にはトーションスプリング１７が巻装され、ロータ１６、すなわち、キーブレード２を飛び出し姿勢側に付勢する。
【００２３】
上記トーションスプリング１７の反力に抗してキーブレード２を収納姿勢に維持するために、ベース１１にはストッパ機構１８が設けられる。ストッパ機構１８は、図３に示すように、上記ロータ１６の側壁に設けられたストッパ溝１９に係脱するレバー２０と、レバー２０の係脱操作を行うためにベース１１表面に露出する押しボタン２１からなる。ストッパ溝１９は、ロータ１６の側壁に２カ所設けられ、一方が、飛び出し姿勢にある際に、他方が収納姿勢にある際にレバー２０が係合してキーブレード２の両姿勢を維持する。
【００２４】
レバー２０は図３（ａ）に示すように、一端に上記ロータ１６のストッパ溝１９に係脱する係合部２０ａを、他端に被操作部２０ｂを備え、図３（ｂ）に示すように、中心部に設けられる回転軸２０ｃがベース１１、および仕切プレート９の軸受け１１ａ、９ｅに回転自在に支承されて回転自在に保持される。レバー２０の側方には、圧縮スプリング２２が配置され、該レバー２０をストッパ溝１９との係合方向に付勢する。
【００２５】
上記レバー２０の被操作部２０ｂは、図３（ｃ）に示すように、表面側に形成される傾斜面２０ｄを備え、該傾斜面２０ｄを直下に位置する押しボタン２１により図３（ｃ）において矢印で示すように押し付けると、傾斜面２０ｄに発生する分力によりレバー２０が図３（ａ）におけるａ３方向に回転し、係合部２０ａのストッパ溝１９からの係合が解除される。押しボタン２１の傾斜面２０ｄとの当接部は、球面として操作性を良好にするのが望ましい。
【００２６】
したがってこの実施の形態において、キーブレード２を使用しないときは、図５（ａ）に示すように、キーブレード２をグリップ体１内部に収納しておくことができる。この状態から押しボタン２１を押し下げると、レバー２０が回転してトーションスプリング１７の復元力によりキーブレード２が飛び出し姿勢まで回転する。飛び出し姿勢での停止時に、突起３がストッパ壁９ｂに衝接して衝撃力を吸収するために、長期の使用によっても容易に故障することがない。また、飛び出し姿勢においては、ロータ１６のストッパ溝１９にレバー２０が係合しているために、妄りにキーブレード２が収納姿勢側に回転することがなく、使い勝手が向上する。
【００２７】
キーブレード２の収納操作は、キーブレード２を収納姿勢側に回転することにより行われる。キーブレード２が飛び出し姿勢で維持され、かつ、必要時には収納姿勢側に回転操作できるように、少なくとも、キーブレード２の飛び出し姿勢において、ストッパ溝１９とレバー２０の係合部２０ａとは、ロータ１６に所定の回転操作力が加わった場合にレバー２０に係合解除方向の分力が発生する傾斜面２０ｄを介して接触する。キーブレード２の収納姿勢側への回転操作終期において、突起３はグリップ体１から飛び出しているために、キーブレード２の自由端部に押し込み代がない場合であっても、図５（ａ）において矢印で示すように、突起３を押し込むことによってキーブレード２を確実に収納姿勢まで移動させることができる。また、キーブレード２の側縁のみを押し込み代としてキーブレード２を収納姿勢に移動させる場合には、グリップ体１の側縁と最後に押し込まれるキーブレード２の側縁とは同一面に設定する必要があるが、突起３による押し込み操作が可能なこの実施の形態においては、図５（ａ）に示すように、キーブレード２の側縁とグリップ体１の側縁との間に適宜の間隙ｄを設定し、グリップ体１の側縁よりも内側に位置するように収納姿勢を設定できるために、各部に寸法誤差等が生じても、キーブレード２がグリップ体１からはみ出すことがない。
【００２８】
また、グリップ体１の先端部１ａの側縁は前方で交差する一対の斜辺部４、４’により形成され、キーブレード２の収納スペース８は一方の斜辺部４に沿って形成されるために、グリップ体１を飛び出し姿勢におけるキーブレード２の中心線ｃ２に対してほぼ線対称形状な造形にすることが可能になり、デザインの自由度が高くなる上に、見栄えも向上する。
【００２９】
図６に本発明の他の実施の形態を示す。この実施の形態は飛び出し姿勢にあるキーブレード２の中心線ｃ２をグリップ体１の先端部１ａの中心線ｃ１に接近、あるいは一致させるために有効な変形を示し、キーブレード２の中心線ｃ２はキーブレード２の回転中心２ａに対して上記オフセット量δを解消する方向に偏位量δ’だけ偏位した位置に配置される。キーブレード２の中心線ｃ２をグリップ体１の先端部１ａの中心線ｃ１に接近、あるいは一致させることにより、キーブレード２はグリップ体１の先端部１ａの中心線ｃ１、あるいはその近傍から飛び出す状態となり、さらに、キーブレード２を突出させた際に飛び出しキー全体の造形をキーブレード２の中心線ｃ２に対してほぼ対称形状にすることが可能になり、見栄えを向上させることができる。また、キーブレード２をキーシリンダ装置に挿入して回転させる際のグリップ体１の先端部１ａが掃き出す面積が上述した実施の形態に比して小さくなるために、キーシリンダ装置の表面部に要するグリップ体１の回動スペースが小さくなり、使い勝手が向上する。
【００３０】
【発明の効果】
以上の説明から明らかなように、本発明によれば、キーブレードの収納操作性が向上し、使い勝手が向上する。
【図面の簡単な説明】
【図１】本発明を示す図で、（ａ）は平面図、（ｂ）は側面図、（ｃ）は裏面図である。
【図２】図１の２Ａ-２Ａ線断面図である。
【図３】ベースを示す平面図である。
【図４】図３に仕切プレートを固定した状態を示す平面図である。
【図５】図４にキーブレードを固定した状態を示す平面図で、（ａ）はキーブレードが収納姿勢にある状態を示す図、（ｂ）は飛び出し姿勢にある状態を示す図である。
【図６】本発明の他の実施の形態を示す図で、（ａ）は図５（ａ）に対応する図、（ｂ）は図５（ｂ）に対応する図である。
【符号の説明】
１        グリップ体
ｃ１      中心線
２        キーブレード
ｃ２      中心線
３        突起
４        斜辺部
【図１】
0003886692.tif 000002
【図２】
0003886692.tif 000003
【図３】
0003886692.tif 000004
【図４】
0003886692.tif 000005
【図５】
0003886692.tif 000006
【図６】
0003886692.tif 000007